(57)【要約】【課題】費用効率が高く、安全性に優れた賭博販売システムを提供する。【解決手段】賭博販売システムは、顧客サービス端末、顧客端末および賭博購入証明を含む。顧客サービス端末は、顧客の身元を照合するセキュリティユニット、銀行取引サービスのための銀行取引ユニット、および、顧客が購入した賭けを記憶する賭博販売ユニットを含む。顧客端末は、銀行取引処理または賭博群の選択をするためのユーザ入力ユニット、銀行取引と賭博購入処理を表示する表示ユニット、顧客サービス端末に接続して、承認を得る購入認証ユニット並びに銀行取引処理および／または賭博購入の受領証を印刷する印刷ユニットを含む。賭博購入証明は、セキュリティユニットが顧客の身元を照合することを可能にすべく、顧客端末にログインするために、顧客が使用する。【選択図】図１
2004164568.tif 000002
【特許請求の範囲】
【請求項１】
顧客サービス端末、顧客端末および賭博購入証明を含み、
前記顧客サービス端末は、セキュリティユニット、銀行取引ユニットおよび賭博販売ユニットを含み、
前記セキュリティユニットは、顧客の身元を照合して顧客による賭博購入を承認するようになっており、
前記銀行取引ユニットは、前記セキュリティユニットと連携し、銀行取引処理を遂行するようになっており、
前記賭博販売ユニットは、前記セキュリティユニットおよび前記銀行取引ユニットと連携し、顧客が購入した賭けを記憶するようになっており、
前記顧客端末は、ユーザ入力ユニット、表示ユニット、購入認証ユニットおよび印刷ユニットを含み、
前記ユーザ入力ユニットは、前記顧客サービス端末より提供されるサービス項目を選択するために手動操作可能であり、前記サービス項目は、賭博の種類選択および処理金額の選択を含み、
前記表示ユニットは、選択された賭博の種類、処理金額および顧客口座残高を含む、前記ユーザ入力ユニットと前記顧客サービス端末との間の対話および処理を表示するようになっており、
前記購入認証ユニットは、前記ユーザ入力ユニットおよび前記表示ユニットと連携し、前記顧客サービス端末とオンラインで接続され、前記購入認証ユニットは、前記顧客サービス端末への選択された賭博の種類と処理金額の伝送、前記銀行取引ユニットからの処理情報の受領および前記賭博販売ユニットからの賭博購入の確認を含む、顧客による賭博購入に関する処理を行うように構成され、
前記印刷ユニットは、前記購入認証ユニットと連携し、少なくとも１つの賭博購入受領証および銀行取引処理受領証を発行し、
前記賭博購入証明は、前記顧客端末と連携し、前記セキュリティユニットが顧客の身元を照合することを可能にすべく、前記顧客端末にログインするために、顧客が使用することを特徴とする賭博販売システム。
【請求項２】
前記賭博購入証明は、クレジットカード、銀行カードおよびプリペイドカードのいずれかであることを特徴とする請求項１に記載の賭博販売システム。
【請求項３】
前記顧客端末は、独立型のカード読取機であることを特徴とする請求項１に記載の賭博販売システム。
【請求項４】
前記顧客端末は、前記顧客サービス端末とオンライン接続することができるコンピュータであることを特徴とする請求項１に記載の賭博販売システム。
【請求項５】
選択可能な前記賭博の種類は、富くじおよび競争への賭けのうち少なくとも１つを含むことを特徴とする請求項１に記載の賭博販売システム。
【請求項６】
顧客の賭博購入証明と共に使用するようになっている賭博販売システムであって、
顧客サービス端末および顧客端末を含み、
前記顧客サービス端末は、セキュリティユニット、銀行取引ユニットおよび賭博販売ユニットを含み、
前記セキュリティユニットは、顧客の身元を照合して顧客による賭博購入を承認するようになっており、
前記銀行取引ユニットは、前記セキュリティユニットと連携し、銀行取引処理を遂行するようになっており、
前記賭博販売ユニットは、前記セキュリティユニットおよび前記銀行取引ユニットと連携し、顧客が購入した賭けを記憶するようになっており、
前記顧客端末は、ユーザ入力ユニット、表示ユニット、購入認証ユニットおよび印刷ユニットを含み、
前記ユーザ入力ユニットは、前記顧客サービス端末より提供されるサービス項目を選択するために手動操作可能であり、前記サービス項目は、賭博の種類選択および処理金額の選択を含み、
前記表示ユニットは、選択された賭博の種類、処理金額および顧客口座残高を含む、前記ユーザ入力ユニットと前記顧客サービス端末との間の対話および処理を表示するようになっており、
前記購入認証ユニットは、前記ユーザ入力ユニットおよび前記表示ユニットと連携し、前記顧客サービス端末とオンラインで接続され、前記購入認証ユニットは、前記顧客サービス端末への選択された賭博の種類と処理金額の伝送、前記銀行取引ユニットからの処理情報の受領および前記賭博販売ユニットからの賭博購入の確認を含む、顧客による賭博購入に関する処理を行うように構成され、
前記印刷ユニットは、前記購入認証ユニットと連携し、少なくとも１つの賭博購入受領証および銀行取引処理受領証を発行し、
前記顧客端末は、前記賭博購入証明と連携し、前記セキュリティユニットが顧客の身元を照合することを可能にするように、顧客が、前記賭博購入証明を使用してログインできるようになっていることを特徴とする賭博販売システム。
【発明の詳細な説明】
【関連する出願との相互参照】
【０００１】
本出願は、２００２年６月７日に提出された台湾特許出願０９１１１２４１８号を基礎とする優先権を主張する。
【技術分野】
【０００２】
本発明は、賭博販売システム（ｓｔａｋｅ  ｖｅｎｄｉｎｇ  ｓｙｓｔｅｍ）に関し、さらに詳しくは、人件費を節減し、より素早い処理を行うための全自動賭博販売システムに関する。
【背景技術】
【０００３】
従来の賭博販売システムでは、賭けを購入する処理を完了する際に、３つの作業を必要とする。
１）顧客は、賭博販売店で、販売員に自らが選択した賭博の種類を告げる。
２）販売員は、賭博開帳者の顧客サービス端末に、それにオンライン接続された端末によって、その選択された賭博の種類を入力し、転送する。
３）前記転送作業が完了した後に、処理受領証が印刷され、顧客に手渡される。
【０００４】
以下は、前記従来の賭博販売システムの欠点である。
１）理想的には、賭博販売店は、素早い賭博購入処理のために、数多くの販売員を雇わなければならない。しかしながら、作業コストを考慮すると、実際に賭博販売店に雇われる販売員の人数は非常に限られている。それゆえ、顧客は長い行列に並んで待ち、賭博購入処理を完了させるために多くに時間を費やさねばならない。換言すれば、賭博購入を取扱う人件費は高いが、その処理効率が低い。このように、従来の賭博販売システムの費用効率はよくない。
２）顧客が多額の賭けを投じようと望むときにおいては、顧客にとって大金を持ち運ぶことが不便であり困難であるだけでなく、顧客の安全面の心配もまた発生する。
３）さらに、各賭博販売店の日々多額の現金の流れは、賭博開帳者が解決しなければならない多くの安全と管理上の問題を含むが、簡単に解決できるものではない。
【考案の開示】
【発明が解決しようとする課題】
【０００５】
それゆえ、本発明の主目的は、前記従来技術の欠点を克服することができる賭博販売システムを提供することにある。
【課題を解決するための手段】
【０００６】
そのために、本発明による賭博販売システムは、顧客サービス端末、顧客端末および賭博購入証明を含むものとする。
【０００７】
前記顧客サービス端末は、顧客の身元照合および顧客による賭博購入を承認するようになっているセキュリティユニット、前記セキュリティユニットと連携して銀行取引処理を遂行するようになっている銀行取引ユニット、並びに、前記セキュリティユニットおよび前記銀行取引ユニットと連携して顧客が購入した賭けを記憶するようになっている賭博販売ユニットを含む。
【０００８】
前記顧客端末は、ユーザ入力ユニット、表示ユニット、購入認証ユニットおよび印刷ユニットを含む。前記ユーザ入力ユニットは、前記顧客サービス端末より提供されるサービス項目を選択するために手動操作可能であり、前記サービス項目は、賭博の種類選択および処理金額の選択を含む。前記表示ユニットは、選択された賭博の種類、処理金額および顧客口座残高を含む、前記ユーザ入力ユニットと前記顧客サービス端末との間の対話および処理を表示するようになっている。前記購入認証ユニットは、前記ユーザ入力ユニットおよび前記表示ユニットと連携し、前記顧客サービス端末とオンラインで接続される。前記購入認証ユニットは、前記顧客サービス端末への選択された賭博の種類と処理金額の伝送、前記銀行取引ユニットからの処理情報の受領および前記賭博販売ユニットからの賭博購入の確認を含む、顧客による賭博購入に関する処理を行うように構成される。前記印刷ユニットは、前記購入認証ユニットと連携し、少なくとも１つの賭博購入受領証および銀行取引処理受領証を発行する。
【０００９】
前記賭博購入証明は、前記顧客端末と連携し、前記セキュリティユニットが顧客の身元を照合することを可能にすべく、前記顧客端末にログインするために、顧客が使用する。
【００１０】
本発明の他の特徴と利点は、添付図面を参照しながらする、好ましい実施形態についての以下の詳細な説明により明らかとなるであろう。
【発明を実施するための最良の形態】
【００１１】
図１，２および３を参照すると、本発明による賭博販売システムの好ましい実施形態は、顧客サービス端末１０、顧客端末２０および賭博購入証明３０を含むことが示されている。
【００１２】
顧客サービス端末１０は、セキュリティユニット１１、銀行取引ユニット１２および賭博販売ユニット１３を含んでいる。セキュリティユニット１１は、顧客の身元を照合し、顧客が賭けを購入することを承認するようになっている。銀行取引ユニット１２は、セキュリティユニット１１と連携し、銀行取引機関に接続されている。銀行取引ユニット１２は、顧客の口座残高を記憶し、引出し、預入れ、送金および照会のような既知の銀行取引処理を遂行するようになっている。賭博販売ユニット１３は、セキュリティユニット１１および銀行取引ユニット１２と連携し、顧客による賭博購入を記憶するようになっている。
【００１３】
この実施形態において、顧客端末２０は、銀行取引機関の現金自動預払機（ＡＴＭ）のような、独立型（ｓｔａｎｄ−ａｌｏｎｅ）のカード読取機である。顧客端末２０は、ユーザ入力ユニット２１、表示ユニット２２、購入認証ユニット２４、および印刷ユニット２３を含んでいる。キーボードのようなユーザ入力ユニット２１は、顧客サービス端末１０が提供するサービス項目を選択するために手動操作可能である。サービス項目は賭博の種類選択および処理金額選択を含んでいる。表示ユニット２２は、選択された賭博の種類、処理金額および顧客口座残高を含む、ユーザ入力ユニット２１と顧客サービス端末１０との間の対話および処理を表示するようになっている。購入認証ユニット２４は、ユーザ入力ユニット２１および表示ユニット２２と連携し、顧客サービス端末１０とオンラインで接続される。購入認証ユニット２４は、顧客サービス端末１０への選択された賭博の種類と処理金額の伝送、銀行取引ユニット１２からの処理情報の受領および賭博販売ユニット１３からの賭博購入の確認を含む、顧客による賭博購入に関する処理を行うように構成されている。印刷ユニット２３は、購入認証ユニット２４と連携し、少なくとも１つの賭博購入受領証および銀行取引処理受領証を発行する。
【００１４】
この実施形態において、賭博購入証明３０は、クレジットカード、銀行カードおよび賭博開帳者が提供したプリペイドカードのいずれかである。賭博購入証明３０は、顧客端末２０と連携し、セキュリティユニット１１が顧客の身元を照合することを可能にすべく、顧客端末２０にログインするために、顧客が使用する。賭博購入証明３０がクレジットカードまたは銀行カードである場合、処理金額は、関連する銀行取引機関への接続およびその銀行取引機関との間の通信を通じて顧客の口座から直接差し引くことができる。賭博購入証明３０が賭博開帳者が提供したプリペイドカードである場合、処理金額は、プリペイドカードの残高から直接差し引かれる。
【００１５】
さらに図４を参照すると、顧客が賭博購入を開始するために、賭博購入証明３０が先ず顧客端末２０に挿入される。そして、ログイン手続きを完了するために、顧客端末２０にパスワードが顧客によって入力され、顧客サービス端末１０のセキュリティユニット１１が顧客の身元を照合することが可能になる。一度顧客の身元が照合されると、顧客サービス端末１０は、その顧客にさらなるサービスを承認する。その後は、ユーザ入力ユニット２１および表示ユニット２２を介して、顧客は、引出し、預入れ、銀行送金、口座照会およびその他の銀行処理のようなサービス項目を選択し、または、富くじ、ドッグレースへの賭けもしくは競馬への賭けのような利用可能な賭博の種類を選択することができる。顧客が賭博サービスを選択したとき、購入認証ユニット２４は、銀行取引ユニット１２によって顧客の口座残高を先ず確認し、表示ユニット２２がそこに口座残高を表示することを可能にする。顧客が賭博購入金額を入力し、かつ、顧客の口座残高が賭博購入金額を支払うに十分であれば、その顧客は、賭博の種類を選択することが許され、処理が確立される。このとき、顧客端末２０は、顧客の口座から差し引くために銀行取引ユニット１２に賭博購入金額を伝送し、顧客が購入した賭けを記憶するために選択した賭博の種類を賭博販売ユニット１３に伝送する。
【００１６】
その後、銀行取引ユニット１２は、顧客の更新された口座残高を顧客端末２０に伝送し、賭博販売ユニット１３は、処理確立メッセージを顧客端末２０に送信する。そのとき、表示ユニット２２は、処理金額、口座残高および確立された選択した賭博の種類を、然るべく表示する。最後に、印刷ユニット２３は、選択されたサービス項目または選択された利用可能な賭博の種類によって、賭博購入受領証を印刷して第１印刷排出口２３１から発行するか、または、銀行取引処理受領証を印刷して第２印刷排出口２３２から発行する。受領証は、当選金の払戻請求をするときに使用されるログインバーコード、賞金認定用コンピュータコードなどを含んでいる。銀行取引処理受領証は、選択されたサービス項目、処理金額、口座残高などを含んでいる。
【００１７】
本発明の顧客端末は、顧客サービス端末とオンライン接続することができる家庭用コンピュータでも実現でき、なにも高価ではない。顧客は、コンピュータを、賭博を購入する際の承認のため、パスワードの入力または電子認証に使用し、口座送金や銀行カードまたはクレジットカードを使用しての支払いを選択する。コンピュータのキーボードおよびモニタを通じて、顧客は、サービス項目または利用可能な賭博の種類を選択できる。そのとき、コンピュータは、顧客の口座から差し引くために、賭博処理金額を銀行ユニット１２に伝送し、購入した賭けを記憶させるために、選択された賭博の種類を賭博販売ユニット１３に伝送する。銀行ユニット１２は、更新された口座残高を伝送し、賭博販売ユニット１３は、コンピュータによる事後の表示のために、処理確立メッセージを送信する。最後に、コンピュータに接続されたプリンタは、賭博購入受領証および／または銀行取引受領証を印刷するために使用できる。
【００１８】
以下は、本発明による賭博販売システムのいくつかの利点である。
１）賭博販売店にとって、顧客端末２０のためにコストをかけなければならないが、その維持費用は、雇用する販売員の給料に比べ非常に小さい。さらに、サービスを家庭用コンピュータユーザに拡張することは、販売コストを節減するだけではなく顧客の底辺を広げることにもなる。
２）費用効率要因は、顧客端末２０の設置を、従来の賭博販売店よりも利用しやすいものとし、長い行列の問題も解決する。
３）銀行取引システムおよび賭博開帳機構とのオンライン接続は、顧客および業者の安全を保障し運営上の利便性を向上させるだけではなく、処理管理の効率向上をももたらす。
【００１９】
本発明は、最も実際的で好ましい実施形態を考えながら説明してきたが、本発明は、開示した実施形態に限定されるものではなく、すべての改良および均等の組合せを包含するように、もっとも広い解釈の精神および範囲の中にある様々な組合せに及ぶものであることを意図している。
【図面の簡単な説明】
【００２０】
【図１】本発明による賭博販売システムの好ましい実施形態を示すブロック図である。
【図２】好ましい実施形態の顧客サービス端末および購入認証ユニットを示すブロック図である。
【図３】好ましい実施形態の顧客端末の概略正面図である。
【図４】好ましい実施形態の賭博購入処理を示すフローチャートである。
【符号の説明】
【００２１】
１０  顧客サービス端末
１１  セキュリティユニット
１２  銀行取引ユニット
１３  賭博販売ユニット
２０  顧客端末
２１  ユーザ入力ユニット
２２  表示ユニット
２３  印刷ユニット
２４  購入認証ユニット
３０  賭博購入証明
【図１】
2004164568.tif 000003
【図２】
2004164568.tif 000004
【図３】
2004164568.tif 000005
【図４】
2004164568.tif 000006
【外国語明細書】
2004164568.tif 000007
2004164568.tif 000008
2004164568.tif 000009
2004164568.tif 000010
2004164568.tif 000011
2004164568.tif 000012
2004164568.tif 000013
2004164568.tif 000014
2004164568.tif 000015
2004164568.tif 000016
2004164568.tif 000017
2004164568.tif 000018
2004164568.tif 000019
2004164568.tif 000020
2004164568.tif 000021
2004164568.tif 000022
2004164568.tif 000023
2004164568.tif 000024
2004164568.tif 000025